(57)【特許請求の範囲】
【請求項１】
複数の棚板のそれぞれに１つのリーダライタに接続されているアンテナ部が埋設された物品管理棚であって、
前記複数の棚板のうちの少なくとも一部の棚板の上面または下面に前記埋設されているアンテナ部から所定の距離だけ離して鉄板等の金属の電磁遮蔽物を設置し、
前記少なくとも一部の棚板に埋設されているアンテナ部から放射される電磁界を、前記設置した鉄板等の金属の電磁遮蔽物によって遮蔽し、電磁遮蔽物が設置された面に隣接するアンテナへの電磁結合を防止することを特徴とする物品管理棚。
【請求項２】
前記棚板に埋設されているアンテナ部はループアンテナであって、
前記アンテナ部は棚板の外形状に沿った長方形状をなし、且つ棚板の上面近傍に埋設されていることを特徴とする請求項１記載の物品管理棚。
【請求項３】
前記電磁遮蔽物は棚板の上面または下面及び側面を覆う略コ字状とすることを特徴とする請求項１または請求項２に記載の物品管理棚。
【発明の詳細な説明】
【０００１】
【発明の属する技術分野】
本発明は、物品に取り付けられたＩＣカードと無線通信を行うリーダライタのアンテナ部が前記物品を収納するための棚に組み込まれた物品管理棚に関するものである。
【０００２】
【従来の技術】
ＩＣカードとリーダライタを用い、無線通信により物品の管理を行う物品管理システムは、ＩＣカードとリーダライタとの間で非接触で物品に関する情報を送受することができ、バーコードによる管理に比して、物品の所在状況の管理等が極めて簡単に行い得ることから、最近、種々の物品管理に適用されつつある。
【０００３】
本出願人は既に、このような物品管理システムを図書館等に適用し、従来の貸出業務に加え、リアルタイムで書籍の位置情報を得、貸出状況の把握、書籍の所在状況の把握を行うことにより、図書の管理を行えるようにした物品管理システムを提案している。このような図書の管理においては、例えば図９に示すような物品管理棚を用いることが考えられる。この物品管理棚１０は複数の棚板１により上下に複数の棚が形成されている。そして、図９に示される物品管理棚は横方向または前後方向に複数組み合わされて並べられ、書籍やファイルが収納される。
【０００４】
図１０は物品管理棚１０の上下二つの棚を構成する棚板１の部分とそれに載置される書籍４を示した斜視図である。同図において、各棚を構成する棚板１は上下２段に平行して設けられ、それらの面に同一形状を有し、共に棚板１の外周付近に沿った長方形状をなすループアンテナ２が付設されている。これらループアンテナ２は書籍４の背表紙４ａに貼付されたＩＣカード５との間で電磁界による情報の送受を行い、ループアンテナ２に接続されたリーダライタ６が図示しない管理ＰＣの指示に基づいて、書籍に関する情報をＩＣカード５から読み取り、または書き込むよう構成されている。従って、このような構成によれば、一つのリーダライタ６により複数の棚を有する物品管理棚１０の一つを管理し、更に、一つのループアンテナ２（棚）毎にそれが設けられた棚板１上に配置された書籍の管理を行うことができる。
【０００５】
【発明が解決しようとする課題】
しかしながら、従来の技術では、例えば図１０に示されるように、上下に隣接した棚板１それぞれのループアンテナに交互に通電した場合は、上下に隣接したループアンテナ２間で電磁結合が生じて、ＩＣカード５とリーダライタ６との通信において上下で電磁結合されたループアンテナが介在されることとなる。従って、一つの棚（棚板２）に配置された書籍のＩＣカード５と通信を行った場合、上下二つの棚に配置された書籍のＩＣカード５と通信が行われることとなる。すなわち、下段の棚のループアンテナが動作すると、上段のループアンテナと結合してしまい、一つのＩＣカード（１つの書籍）が上段の棚に載置されている場合において、下段の棚のループアンテナとの送受が行われることとなって、載置場所の誤認識が生じてしまう場合がある等、信頼性の高い物品管理ができなくなるという問題がある。
【０００６】
そこで、本発明は上述した問題点を解決するために成されたものであり、複数の架に配置されたそれぞれのループアンテナ間で磁気結合が生じるのを防止でき、信頼性に優れた物品管理棚を提供することを目的としている。
【０００７】
【課題を解決するための手段】
上述した課題を解決するため、本発明は、複数の棚板のそれぞれに１つのリーダライタに接続されているアンテナ部が埋設された物品管理棚であって、前記複数の棚板のうちの少なくとも一部の棚板の上面または下面に前記埋設されているアンテナ部から所定の距離だけ離して鉄板等の金属の電磁遮蔽物を設置し、前記少なくとも一部の棚板に埋設されているアンテナ部から放射される電磁界を、前記設置した鉄板等の金属の電磁遮蔽物によって遮蔽し、電磁遮蔽物が設置された面に隣接するアンテナへの電磁結合を防止することを特徴とするものである。
【０００８】
また、本発明は、前記棚板に埋設されているアンテナ部はループアンテナであって、前記アンテナ部は棚板の外形状に沿った長方形状をなし、且つ棚板の上面近傍に埋設されていることを特徴とするものである。
【０００９】
また、本発明は、前記電磁遮蔽物は棚板の上面または下面及び側面を覆う略コ字状とすることを特徴とするものである。
【００１２】
【発明の実施の形態】
以下、本発明の実施の形態を図書管理に適用される物品（図書）管理棚に例をとって、図面を用いて説明する。
実施の形態１．
図１は一つの物品管理棚を示す斜視図、図２は一部の棚板を示す斜視図である。
物品管理棚１０は、上下に平行に複数段（図示では３段）設けられた棚板１ａ，１ｂ，１ｃにより３つの棚が構成されている。
各棚板１ａ，１ｂ，１ｃにおいて、棚板１ａ、１ｂ、１ｃの面内にはループアンテナ２Ａを形成するループ線が埋設され、各棚板１ａ，１ｂの下面には最下段の棚板１ｃを除いて、鉄板等の金属板により形成され電磁界を遮蔽する遮蔽板１ａ−１，１ｂ−１が付設されている。各棚板１ａ，１ｂにおいて、ループアンテナ２Ａのそれぞれは、図２に示されるように、棚板１ａ、１ｂの外形状に沿った長方形状をなして、各棚板１ａ，１ｂの上面近傍に埋設されている。これらループアンテナ２Ａと各棚板１ａ，１ｂの下面に付設される遮蔽板１ａ−１，１ｂ−１とは各棚板１ａ，１ｂ内において、高さ方向に所定の距離Δだけ離れている。これによりループアンテナ２Ａにより発生した電磁界は各棚板１ａ，１ｂより上方向にのみ放射され、下方への放射が遮断される。
【００１３】
なお、これらループアンテナ２Ａは図３に示される同調回路３と接続しており、この同調回路３が同軸ケーブル２０を介して、図１に示されるリーダライタ６に接続されている。図４には同調回路３の一例を示す。同調回路３はトランス３ａとコンデンサ３ｂで基板上に構成され、共振及びインピーダンス整合をとって、ループ線２ａと同軸ケーブル２０を接続している。また、同軸ケーブル２０はコネクタ２０ａを介してリーダライタ６に接続されている。
【００１４】
図５はＩＣカードが取り付けられた書籍を示す斜視図であり、図６はＩＣカードを示す斜視図である。ＩＣカード５はタグ状をなし、書籍４の背表紙４ａの下部に貼付けられている。ＩＣカード５は図６に示すように、ループ状をなすカードアンテナ５ａとそれに接続されたＩＣチップとからなる。また書籍４の表紙下部には、その端部がＩＣカード５の端部に近接するように共振カード７が貼付けられる。共振カード７はこのカードアンテナ５ａと共振して書籍の載置方向が異なる場合、例えばＩＣカードとループアンテナが直接通信し難いような場合にも、共振カードの共振とループアンテナにより通信を可能としている。
【００１５】
図７は各棚板と書籍との配置関係を示したものであり、（ａ）は斜視図、（ｂ）は側面図である。これらの図より明らかなように、ループアンテナ２Ａのループコイルの垂直面内にＩＣカード５のカードアンテナの面が位置するように書籍４の載置位置に対して各棚板１ａ、１ｂのループアンテナ２Ａが設けられることが望ましい。
【００１６】
実施の形態２．
図８は実施の形態２を示す斜視図である。
実施の形態１では、遮蔽板としての鉄板を平板としたが、図８（ａ）や図８（ｂ）に示すように棚板の下面および側面を覆う略コ字状としても良い。このような形状を有する遮蔽板１ａ−２，１ａ−３によれば、電磁界を遮蔽するだけでなく、強度の低い誘電体からなる棚板の強度を高めるための補強板としても十分機能させることができる。
【００１７】
なお、上記実施の形態においては、遮蔽板を棚板の下面に付設し、電力を上方にのみ放射して下方への放射を行わないようにしたが、逆に、棚板の上面に設けて下方へのみ電力を放射するようにしても良いことは言うまでもない。すなわち、各ループアンテナで、その下方に設けられた物品のＩＣカードと通信を行うようにしても良い。また、物品として書籍を例にとって説明したが、書籍に代えて、書類をファイル毎に分類してファイル棚に収納する場合に、当該ファイル毎にＩＣカードを取り付けると共に、ファイル棚にループアンテナを設けるようにした場合にも本発明は適用できる。
【００１８】
【発明の効果】
以上に詳述したように、本発明によれば、複数の棚に配置されたそれぞれのループアンテナ間で電磁結合が生じるのを防止でき、信頼性、機能性に優れた物品管理棚を提供することができる。
【図面の簡単な説明】
【図１】本発明の実施の形態１における物品管理棚を示す斜視図である。
【図２】棚板の一部を拡大して示す斜視図である。
【図３】同調回路を示す図である。
【図４】同調回路の一例を示す回路図である。
【図５】ＩＣカードと共振回路が付された書籍を示す斜視図である。
【図６】ＩＣカードを示す斜視図である。
【図７】書籍とループアンテナの配置関係を示す図である。
【図８】実施の形態２を示す棚板の斜視図である。
【図９】従来の物品管理棚を示す斜視図である。
【図１０】従来の物品管理棚の棚板部分を示す斜視図である。
【符号の説明】
１ａ，１ｂ，１ｃ  棚板、１ａ−１，１ａ−２，１ａ−３，１ｂ−１，１ｂ−２，１ｂ−３  遮蔽板、２Ａ  ループアンテナ、４  書籍、５  ＩＣカード、６リーダライタ。
【図１】
0003783917.tif 000002
【図２】
0003783917.tif 000003
【図３】
0003783917.tif 000004
【図４】
0003783917.tif 000005
【図５】
0003783917.tif 000006
【図６】
0003783917.tif 000007
【図７】
0003783917.tif 000008
【図８】
0003783917.tif 000009
【図９】
0003783917.tif 000010
【図１０】
0003783917.tif 000011